【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】
白色光を出力する光源手段と、
前記光源手段からの白色光を入力して複数の原色光を出力するカラーホイール手段と、
前記カラーホイール手段からの原色光を受け、映像を構成するための光を反射するデジタルマイクロミラーデバイス手段と、
前記デジタルマイクロミラーデバイス手段からの光を透過させ、所望の大きさに拡大した映像を得るための投影用光学手段と、
前記投影用光学手段の後段に配設され、前記投影用光学手段を透過して来る投影用の光を遮蔽し得る蓋体と、
前記蓋体の投影用の光を遮蔽する側の面に付設され、前記投影用光学手段からの投影用の光に係る色温度を検出するためのセンサ手段と、
前記デジタルマイクロミラーデバイス手段からの光が映像用のデータに基づいて所定の映像を構成するように、且つ、前記センサ手段からの検出結果に基づいて投影光の色温度が所望通りの出力となるように、前記カラーホイール手段と前記デジタルマイクロミラーデバイス手段の作動の制御を行なう制御手段と、
からなるプロジェクタ装置。
【請求項２】
前記蓋体が、装置本体を構成するケーシングに保持され、所望により投影用の光の光路の遮蔽と解放を行なう請求項１に記載のプロジェクタ装置。
【請求項３】
前記蓋体が、前記投影用光学手段を構成する最終段レンズを保護するキャップである請求項１に記載のプロジェクタ装置。
【請求項４】
前記制御手段が、前記投影用光学手段からの投影光の出力レベルを１００パーセントから０パーセントまで変化させる際に、各出力レベルに対応して色温度の調整を行なう請求項１から３のいずれか１項に記載のプロジェクタ装置。
【請求項５】
前記制御手段が、前記投影用光学手段からの投影光の出力レベルを１００パーセントから０パーセントまで変化させる際に、各出力レベルに対応した基準値を記憶した記憶部を備えてなる請求項４に記載のプロジェクタ装置。
【手続補正２】
【補正対象書類名】明細書
【補正対象項目名】０００５
【補正方法】変更
【補正の内容】
【０００５】
ＤＬＰ方式のプロジェクタ装置は、上述した温度変化や経年変化によって、投影光に係る映像上の色彩の質を示す、いわゆる、色温度に変化が生じて所定通りの色彩が保持されず、結果的に当初に考えていた色調の映像が得られなくなるという問題が生じる。
【手続補正３】
【補正対象書類名】明細書
【補正対象項目名】０００９
【補正方法】変更
【補正の内容】
【０００９】
上記公報で示されたプロジェクタ装置では、装置本体内でＤＭＤからの反射光のうち投影用の光の方向と異なる方向に反射された光を検出して光の情報を得る構成になっている。
斯かる構成では、光についての色温度の検出は装置本体内で行なわれるために投影光の色温度の調整の手段が大掛かりになるという問題は生じず、色温度の検出を行う作業そのものも煩雑になるという問題も生じない。
【手続補正４】
【補正対象書類名】明細書
【補正対象項目名】００１３
【補正方法】変更
【補正の内容】
【００１３】
【課題を解決するための手段】
この発明の一態様は、投影用光学手段の後段に投影用光学手段を透過して来る投影用の光を遮蔽し得る蓋体を備え、その蓋体に投影光の色温度を検出するためのセンサ手段を付設し、所望通りの色温度が得られるように調整の制御を行なう構成のプロジェクタ装置である。
【手続補正５】
【補正対象書類名】明細書
【補正対象項目名】００１４
【補正方法】変更
【補正の内容】
【００１４】
その詳細な構成は、白色光を出力する光源手段と、前記光源手段からの白色光を入力して複数の原色光を出力するカラーホイール手段と、前記カラーホイール手段からの原色光を受け、映像を構成するための光を反射するデジタルマイクロミラーデバイス手段と、前記デジタルマイクロミラーデバイス手段からの光を透過させ、所望の大きさに拡大した映像を得るための投影用光学手段と、前記投影用光学手段の後段に配設され、前記投影用光学手段を透過して来る投影用の光を遮蔽し得る蓋体と、前記蓋体の投影用の光を遮蔽する側の面に付設され、前記投影用光学手段からの投影用の光に係る色温度を検出するためのセンサ手段と、前記デジタルマイクロミラーデバイス手段からの光が映像用のデータに基づいて所定の映像を構成するように、且つ、前記センサ手段からの検出結果に基づいて投影光の色温度が所望通りの出力となるように、前記カラーホイール手段と前記デジタルマイクロミラーデバイス手段の作動の制御を行なう制御手段と、からなるプロジェクタ装置である。
【手続補正６】
【補正対象書類名】明細書
【補正対象項目名】００１６
【補正方法】変更
【補正の内容】
【００１６】
又、この発明の一態様におけるプロジェクタ装置において、制御手段が、ＤＭＤからの光の出力レベルを１００から実質的に０パーセントまで変化させる際に、各レベルに対応して色温度の調整を行なうように構成されたものが挙げられる。
更に、制御手段が、ＤＭＤからの光の出力レベルを１００から実質的に０パーセントまで変化させる際に、各レベルに対応した基準値を記憶した記憶部を備えてなるプロジェクタ装置が挙げられる。
【手続補正７】
【補正対象書類名】明細書
【補正対象項目名】００１７
【補正方法】変更
【補正の内容】
【００１７】
斯かる構成の本発明の一態様におけるプロジェクタ装置では、蓋体の投影用の光を遮蔽する側の面に付設されたセンサ手段が投影光に係る色温度を検出するから、投影用の光に係る色温度の検出は装置本体で行なわれ、しかも、センサ手段は光学手段の後段に位置するからセンサ手段は光学手段を介した投影光をセンシングすることになる。
【手続補正８】
【補正対象書類名】明細書
【補正対象項目名】００１９
【補正方法】変更
【補正の内容】
【００１９】
ケーシング２は、前部に投影用光学手段６からの投影光を通過させるための開口部１０が開設されている。
光源手段３は白色光を出力するものであり、その出力のＯＮ−ＯＦＦは制御手段９によって制御されている。
【手続補正９】
【補正対象書類名】明細書
【補正対象項目名】００３０
【補正方法】変更
【補正の内容】
【００３０】
プロジェクタ装置１は、上述したように構成されている。
以下において、プロジェクタ装置１の色温度の調整を説明する。
操作者は、まずプロジェクタ装置１のメインスイッチをＯＮにして作動を開始させ、リモコン手段（図示省略）を操作して制御手段９を介してギアード・モータ２０を逆方向に出力させて蓋体７を矢印Ｂ方向にスライドさせる。
ここで、投影用光学手段６は遮蔽部１７に位置することになり投影光は遮蔽される状態になり、且つ、センサ手段８が投影用光学手段６の最終段レンズを覆うことになる。
【手続補正１０】
【補正対象書類名】明細書
【補正対象項目名】００３１
【補正方法】変更
【補正の内容】
【００３１】
次に、操作者は、上記リモコン装置及び制御手段９を介して、光源手段３から白色光を出力させる。
ここで、光源手段３からの白色光は、コンデンサレンズ１３を介して所定の大きさに絞り込まれ、更に、カラーホイール手段４を介して原色光となって光学手段１４の側に出力される。
【手続補正１１】
【補正対象書類名】明細書
【補正対象項目名】００４０
【補正方法】変更
【補正の内容】
【００４０】
加えて、投影光の検出の際、従来技術では、検出対象の投影光のみで他の光があってはならないから、色温度の検出の作業自体を明るさが極めて低い環境下で行なうので作業性が悪くなりがちである。
しかし、プロジェクタ装置１は色温度の検出の際にセンサ手段８が投影光のみをセンシングすることになり、まわりの明るさに関係なく色温度の検出を行うことができ、色温度の検出及び色温度の調整において作業性が確保されている。
【手続補正１２】
【補正対象書類名】明細書
【補正対象項目名】００４１
【補正方法】変更
【補正の内容】
【００４１】
プロジェクタ装置１は、色温度の検出を行なうためのセンサ手段８を蓋体７に付設し、蓋体７がケーシングに対してスライドすることで投影用光学手段６からの投影光を遮蔽する構成になっている。
が、操作者が投影用光学手段６の最終段のレンズに容易に接近できるプロジェクタ装置では、蓋体７は操作者の手によって着脱のできるキャップ状のもので、且つ、その内側面にセンサ手段８を付設した構成のものであってもよい。
【手続補正１３】
【補正対象書類名】明細書
【補正対象項目名】００４５
【補正方法】変更
【補正の内容】
【００４５】
プロジェクタ装置１は、操作者がリモコン装置を操作することで機能する構成になっているが、ケーシングの天面、側面等に操作部を配設してダイレクトに操作を行なう構成、更には、リモコン装置による操作とダイレクトの操作の併用の構成であってもよい。